(57)【要約】【課題】機器の置忘れを防止することができる電子機器を提供する。【解決手段】電子機器は、第１ユーザを介した人体通信、又は、近距離通信によって第１機器（１０Ａ）及び前記第１機器とは異なる第２機器（１０Ｂ）と通信を行う通信部と、前記通信部と前記第１機器及び前記第２機器との通信が成立すべきタイミングを検知する検知部（２９）と、前記検知部が前記通信部と前記第１機器及び前記第２機器との通信が成立すべきタイミングを検知した場合に、前記通信部と前記第１機器及び前記第２機器との通信状態に基づいて、前記第１ユーザに報知を行う報知部（２５，２８）と、を備えている。【選択図】図１
2018106727.tif 000002
【特許請求の範囲】
【請求項１】
第１電子機器および第２電子機器と通信を行う電子機器のコンピュータに実行させるプログラムであって、
前記第１電子機器と前記電子機器とで近距離通信を行う処理と、
前記第２電子機器と前記電子機器とで前記近距離通信を行う処理と、
前記第１電子機器と前記電子機器との前記近距離通信が途切れる第１位置を取得する処理と、
前記第２電子機器が動作したことを示す動作情報を前記近距離通信により取得する処理と、
前記第１位置と前記動作情報とを取得した後に、前記電子機器の位置である第２位置を取得する処理と、
前記動作情報と、前記第１位置と、前記第２位置とに基づいて、前記第１電子機器に関する報知を行う処理と、
をコンピュータに実行させるプログラム。
【請求項２】
前記報知を行う処理は、前記第１位置から前記第２位置が離れることに基づいて、前記第１電子機器に関する報知を行う、
請求項１に記載のプログラム。
【請求項３】
前記報知を行う処理は、前記第１位置とは異なる第３位置に前記第２位置が近付いている時、前記第１電子機器に関する報知を行わない、
請求項１または２に記載のプログラム。
【請求項４】
前記第３位置は、前記第１電子機器、または前記第２電子機器を収納するバッグに関する位置である、
請求項３に記載のプログラム。
【請求項５】
前記第１電子機器は、第１ゴルフクラブに取り付けられ、または内蔵され、
前記第２電子機器は、第２ゴルフクラブに取り付けられる、または内蔵される、
請求項１〜４のいずれか１項に記載のプログラム。
【請求項６】
前記取得する処理は、前記動作情報として、前記第２ゴルフクラブがボールを打ったことを示す情報を取得する、
請求項５に記載のプログラム。
【請求項７】
前記報知を行う処理は、前記第１電子機器に関する報知として、前記第１位置に関する報知を行う、
請求項１〜６のいずれか１項に記載のプログラム。
【請求項８】
前記報知を行う処理は、前記電子機器が有する表示部に前記第１電子機器に関する報知を行う、
請求項１〜６のいずれか１項に記載のプログラム。
【請求項９】
前記報知を行う処理は、前記第１電子機器に関する報知を音で行う、
請求項１〜６のいずれか１項に記載のプログラム。
【請求項１０】
前記近距離通信を行う処理は、前記第１電子機器と近接無線通信または人体通信を行い、前記第２電子機器と近接無線通信または人体通信を行う、
請求項１〜９のいずれか１項に記載のプログラム。
【請求項１１】
前記第１電子機器と前記電子機器との前記近距離通信は、前記電子機器とは異なる電子機器を介さないで前記第１電子機器と通信を行うことであり、
前記第２電子機器と前記電子機器との前記近距離通信は、前記電子機器とは異なる電子機器を介さないで前記第２電子機器と通信を行うことである、
請求項１〜９のいずれか１項に記載のプログラム。
【請求項１２】
前記第１電子機器は、ユーザに選択されなかった電子機器であり、
前記第２電子機器は、前記ユーザに選択され、前記ユーザによって動作された電子機器である、
請求項１〜１１のいずれか１項に記載のプログラム。
【請求項１３】
前記取得する処理は、前記第１位置として、前記第１電子機器と前記電子機器との前記近距離通信が途切れたときの前記電子機器の位置を取得する、
請求項１〜１２のいずれか１項に記載のプログラム。
【請求項１４】
第１電子機器および第２電子機器と通信を行う電子機器であって、
前記第１電子機器と近距離通信を行い、前記第２電子機器と前記近距離通信を行う通信部と、
前記第１電子機器と前記電子機器との前記近距離通信が途切れる第１位置を取得する第１位置取得部と、
前記第２電子機器が動作したことを示す動作情報を前記近距離通信により取得する動作情報取得部と、
前記第１位置と前記動作情報とを取得した後に、前記電子機器の位置である第２位置を取得する第２位置取得部と、
前記動作情報と、前記第１位置と、前記第２位置とに基づいて、前記第１電子機器に関する報知を行う報知部と、
を備える電子機器。
【請求項１５】
前記報知部は、前記第１位置から前記第２位置が離れることに基づいて、前記第１電子機器に関する報知を行う、
請求項１４記載の電子機器。
【請求項１６】
前記報知部は、前記第１位置とは異なる第３位置に前記第２位置が近付いているとき、前記第１電子機器に関する報知を行わない、
請求項１４または請求項１５に記載の電子機器。
【請求項１７】
前記第３位置は、前記第１電子機器、または前記第２電子機器を収納するバッグに関する位置である、
請求項１６に記載の電子機器。
【請求項１８】
前記第１電子機器は、第１ゴルフクラブに取り付けられ、または内蔵され、
前記第２電子機器は、第２ゴルフクラブに取り付けられる、または内蔵される、
請求項１４〜１７のいずれか１項に記載の電子機器。
【請求項１９】
前記動作情報取得部は、前記動作情報として、前記第２ゴルフクラブがボールを打ったことを示す情報を取得する、
請求項１８に記載の電子機器。
【請求項２０】
前記報知部は、前記第１電子機器に関する報知として、前記第１位置に関する報知を行う、
請求項１４〜１９のいずれか１項に記載の電子機器。
【請求項２１】
前記報知部は、前記第１電子機器に関する報知を行う表示部である、
請求項１４〜１９のいずれか１項に記載の電子機器。
【請求項２２】
前記報知部は、前記第１電子機器に関する報知を音で行う、
請求項１４〜１９のいずれか１項に記載の電子機器。
【請求項２３】
前記通信部は、前記第１電子機器と近接無線通信または人体通信を行い、前記第２電子機器と近接無線通信または人体通信を行う、
請求項１４〜２２のいずれか１項に記載の電子機器。
【請求項２４】
前記第１電子機器と前記電子機器との前記近距離通信は、前記電子機器とは異なる電子機器を介さないで前記第１電子機器と通信を行うことであり、
前記第２電子機器と前記電子機器との前記近距離通信は、前記電子機器とは異なる電子機器を介さないで前記第２電子機器と通信を行うことである、
請求項１４〜２２のいずれか１項に記載の電子機器。
【請求項２５】
前記第１電子機器は、ユーザに選択されなかった電子機器であり、
前記第２電子機器は、前記ユーザに選択され、前記ユーザによって動作された電子機器である、
請求項１４〜２４のいずれか１項に記載の電子機器。
【請求項２６】
前記第１位置取得部は、前記第１位置として、前記第１電子機器と前記電子機器との前記近距離通信が途切れたときの前記電子機器の位置を取得する、
請求項１４〜２５のいずれか１項に記載の電子機器。
【発明の詳細な説明】
【技術分野】
【０００１】
本発明は、プログラム及び電子機器に関する。
【背景技術】
【０００２】
スポーツ競技の中には、状況に応じて複数の道具を使い分けるものがある。例えば、ゴルフ競技においては、複数のクラブを状況に応じて使い分けるため、ボールを打つ場所に複数のクラブを持っていき、当該複数のクラブの中から選択した１本のクラブでボールを打つ間、残りのクラブを近くに置いておくことが多い。しかしながら、プレーの進行の遅延を防ぐため、競技者は、ボールを打った後に急いで次のプレー地点に移動する必要があり、その際、残りのクラブを置き忘れてしまう場合がある。そこで、ゴルフクラブにＩＣ（Integrated Circuit）タグをつけ、各ホール終了後に通過する地点に設けられたＩＣタグ検出部の検出結果に基づいて、クラブの過不足を管理する方法が提案されている（例えば、特許文献１参照）。
【先行技術文献】
【特許文献】
【０００３】
【特許文献１】特開２００６−２２３５５１号公報
【発明の概要】
【発明が解決しようとする課題】
【０００４】
しかしながら、上記の管理方法では、ゴルフクラブを管理できる場所が特定の場所に限られており、コースの途中でクラブを忘れた場合には、置き忘れた場所等を知ることができず、必ずしも使い勝手のよいものでなはなかった。
【０００５】
本発明は上記の課題に鑑みてなされたものであり、機器の置き忘れを防止することが可能なプログラム及び電子機器を提供することを目的とする。
【課題を解決するための手段】
【０００６】
本発明の電子機器（２０Ａ）は、第１ユーザを介した人体通信、又は、近距離通信によって第１機器（１０Ａ）及び前記第１機器とは異なる第２機器（１０Ｂ）と通信を行う通信部（２１）と、前記通信部と前記第１機器及び前記第２機器との通信が成立すべきタイミングを検知する検知部（２９）と、前記検知部が前記通信部と前記第１機器及び前記第２機器との通信が成立すべきタイミングを検知した場合に、前記通信部と前記第１機器及び前記第２機器との通信状態に基づいて、前記第１ユーザに報知を行う報知部（２４，２８）と、を備える。
【０００７】
この場合において、前記検知部は、前記第１ユーザの位置情報と前記第１ユーザの移動情報との少なくとも一方に基づいて、前記タイミングを検知することとしてもよい。また、前記検知部は、前記第１ユーザが前記第１機器と前記第２機器とのうちいずれか一方を使用したか否かに基づいて、前記第１機器と前記第２機器とのうちいずれか他方と前記通信部との通信が成立すべきタイミングを検知することとしてもよい。また、前記検知部は、前記通信部と前記第１機器及び前記第２機器のいずれか一方との通信が途切れた位置から前記第１ユーザが所定距離離れたか否かに基づいて、前記第１機器と前記第２機器とのうちいずれか一方と前記通信部との通信が成立すべきタイミングを検知することとしてもよい。
【０００８】
また、本発明の電子機器では、前記報知部は、前記第１機器及び前記第２機器の少なくとも一方が前記第１ユーザとは異なる第２ユーザに保持されているか否かの判定結果に応じて前記報知を行うこととしてもよい。また、本発明の電子機器は、前記第１ユーザが移動をしていない場合に前記報知部による報知を禁止する禁止部（２９）を備えることとしてもよい。
【０００９】
また、本発明の電子機器では、前記検知部は、前記第１ユーザの位置情報と前記第１ユーザの移動情報との少なくとも一方とに基づいて、前記タイミングを検知する場合において、前記第１ユーザの位置情報と、前記第１ユーザの移動情報とは共通のセンサ（２３）により検出されることとしてもよい。
【００１０】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１１】
本発明のプログラム及び電子機器は、機器の置き忘れを防止することができるという効果を奏する。
【図面の簡単な説明】
【００１２】
【図１】一実施形態に係る電子機器システムの構成を示す図である。
【図２】電子機器システムを利用している状況を示す図である。
【図３】ゴルフクラブとクラブ用機器の設置位置の一例を示す図である。
【図４】携帯端末の制御部が実行する処理の一例を示すフローチャートである。
【図５】携帯端末の制御部が実行する報知処理の一例を示すフローチャートである。
【図６】図６（Ａ）〜図６（Ｆ）は、図４および図５の処理を説明するための図である。
【図７】携帯端末の制御部が実行する処理の変形例を示すフローチャートである。
【図８】携帯端末の制御部が実行する報知処理の変形例を示すフローチャートである。
【発明を実施するための形態】
【００１３】
以下、一実施形態について、図１〜図６に基づいて、詳細に説明する。図１には、一実施形態にかかる電子機器システム５００の構成がブロック図にて示されている。また、図２には、電子機器システム５００を利用している状況が示されている。
【００１４】
電子機器システム５００は、ユーザがスポーツなどを行うときに利用するシステムである。本実施形態では、図２に示すように、ユーザがゴルフを行うときに利用するものとして説明する。
【００１５】
電子機器システム５００は、図１、図２に示すように、ゴルフクラブ１Ａ，１Ｂに設けられたクラブ用機器１０Ａ，１０Ｂと、携帯端末２０Ａ，２０Ｂと、靴３に設けられた靴用機器３０と、キャディバッグ４に設けられたバッグ用機器４０と、を備える。
【００１６】
（クラブ用機器１０Ａ，１０Ｂ）
クラブ用機器１０Ａ，１０Ｂは、ゴルフクラブに設けられる機器である。以後、クラブ用機器１０Ａ，１０Ｂは同様の構成を備えるため、特に区別する必要のない限り、クラブ用機器１０と記載し、説明を行う。
【００１７】
ゴルフクラブにはドライバ、アイアン、パター（Ｐ）などがあり、ドライバには１Ｗ、３Ｗ、５Ｗ、アイアンには３Ｉ〜９Ｉ、ＰＷ（ピッチングウェッジ）、ＡＷ（アプローチウェッジ）、ＳＷ（サンドウェッジ）などがある。本実施形態では、それぞれのゴルフクラブにクラブ用機器１０が設けられているものとする。なお、図１では、ゴルフクラブの一例として、ゴルフクラブ１Ａとゴルフクラブ１Ｂとが図示されており、説明の便宜上、ゴルフクラブ１Ａに設けられたクラブ用機器１０をクラブ用機器１０Ａとし、ゴルフクラブ１Ｂに設けられたクラブ用機器１０をクラブ用機器１０Ｂとしている。なお、以後、ゴルフクラブ１Ａとゴルフクラブ１Ｂとを用いて説明を行うが、両者を特に区別する必要がない限り、ゴルフクラブ１と記載し、説明を行う。
【００１８】
クラブ用機器１０は、図１に示すように、記憶部１１と、通信ユニット１３と、制御部１５と、を備えている。
【００１９】
記憶部１１は、例えば、フラッシュメモリ等の不揮発性の半導体メモリやであり、ゴルフクラブ１の所有者や、番手情報（１Ｗ、３Ｗ、５Ｗ、３〜９Ｉ、ＰＷ、ＡＷ、ＳＷ、Ｐ等）や、メーカや、品名、型番を記憶する。
【００２０】
通信ユニット１３は、携帯端末２０Ａ，２０Ｂと通信を行うためのものであり、例えばＢｌｕｅｔｏｏｔｈ（登録商標）、Ｆｅｌｉｃａ（登録商標）、ＲＦＩＤ(Radio Frequency Identification)などの近接通信や、ユーザを介した人体通信などを行う。本実施形態においては、通信ユニット１３は、図３に示すようにゴルフクラブ１のグリップ部分や、ヘッド近辺に設けられた電極１３１を用いて、携帯端末２０Ａ，２０Ｂの人体通信部２１２と人体通信を行う人体通信部１３２を備える。人体通信部１３２は、記憶部１１に記憶されたゴルフクラブ１の所有者や、番手情報を、携帯端末２０Ａ，２０Ｂに送信する。なお、人体通信には、人体に微弱な電流を流して、その電流を変調して情報を伝達する電流方式や、人体の表面に誘起する電界を変調して情報を伝達する電界方式などがある。本実施形態では、電流方式及び電界方式のいずれのタイプを用いることも可能である。なお、ユーザが素手である場合（すなわち、電極１３１が手と接触している場合）はもちろん、手袋を着用している場合（すなわち、電極１３１が手と対向している場合）でも、人体通信は可能である。
【００２１】
制御部１５は、ＣＰＵ（Central Processing Unit）、ＲＡＭ（Random Access Memory）、ＲＯＭ（Read Only Memory）等を備え、クラブ用機器１０全体を制御する。本実施形態では、制御部１５は、携帯端末２０Ａ，２０Ｂへのデータ送信の制御を行っている。なお、制御部１５及び記憶部１１はゴルフクラブ１のいずれの位置に設けられても構わないが、本実施形態では、ゴルフクラブ１のグリップ部分に設けられているものとする。
【００２２】
（携帯端末２０Ａ，２０Ｂ）
携帯端末２０Ａ，２０Ｂは、ユーザにより携帯された状態で利用される情報機器である。携帯端末２０Ａ，２０Ｂとしては、携帯電話、スマートフォン、ＰＨＳ（Personal Handy-phone System）、ＰＤＡ（Personal Digital Assistant）等を採用することができるが、本実施形態では、携帯端末２０Ａ，２０Ｂは、スマートフォンであるものとする。携帯端末２０Ａ，２０Ｂは、電話機能やインターネット等に接続するための通信機能、及び、プログラムを実行するためのデータ処理機能等を有する。なお、携帯端末２０Ａ，２０Ｂの必要な構成（例えば、位置検出部２３や無線通信部２２）を腕時計、眼鏡、補聴器、帽子、靴３などのユーザが身につける物や、カートをリモート操作するリモコンなどのユーザが保持する物に設けて携帯端末としてもよい。本実施形態では、ユーザＡが携帯端末２０Ａを使用し、ユーザＢが携帯端末２０Ｂを使用するものとする。なお、携帯端末２０Ａと携帯端末２０Ｂとは、同様の構成を備えるため、以下、特に区別する必要のない限り、携帯端末２０Ａ，２０Ｂを携帯端末２０と記載し、説明を行う。
【００２３】
携帯端末２０は、通信ユニット２１、無線通信部２２、位置検出部２３、マイク２４、スピーカ２５、カレンダ部２６、記憶部２７、表示部２８、および制御部２９を備える。
【００２４】
通信ユニット２１は、クラブ用機器１０と、靴用機器３０と通信を行うものであり、例えばＢｌｕｅｔｏｏｔｈ（登録商標）、Ｆｅｌｉｃａ（登録商標）、ＲＦＩＤなどの近接通信や、ユーザを介した人体通信などを行う。本実施形態においては、通信ユニット２１は、ユーザに取り付けられた、又は携帯端末２０に設けられた電極２１１を用いて、クラブ用機器１０の人体通信部１３２および靴用機器３０の人体通信部３３と人体通信を行う人体通信部２１２を有する。人体通信部２１２は、ユーザがゴルフクラブ１を保持した状態でクラブ用機器１０と人体通信を行い、ゴルフクラブ１の所有者の情報および番手情報をクラブ用機器１０から受信する。また、人体通信部２１２は、ユーザが履いている靴３に設けられた靴用機器３０と人体通信を行い、後述する靴用機器３０のマイク３１が集音した音響データを靴用機器３０から受信する。なお、ユーザと携帯端末２０が直接接触している場合はもちろん、シャツやズボンを介してユーザと携帯端末２０が接触している場合でも、人体通信は可能である。また、人体通信に代えてＢｌｕｅｔｏｏｔｈ（登録商標）、ＲＦＩＤ(Radio Frequency Identification)、ＴｒａｎｓｆｅｒＪｅｔ（登録商標）などの近距離通信を用いてもよい。
【００２５】
無線通信部２２は、他の携帯端末やバッグ用機器４０と通信を行うためのものである。無線通信部２２は、携帯端末２０のユーザが所有するゴルフクラブ１を、他のユーザが保持しているか否かに関する情報を、他の携帯端末から受信する（詳細は後述する）。
【００２６】
位置検出部２３は、例えば、ＧＰＳ（Global Positioning System）センサであり、携帯端末２０の位置（例えば、緯度及び経度）を検出するセンサである。本実施形態では、携帯端末２０をユーザが保持しているため、位置検出部２３によって、ユーザの位置が検出される。
【００２７】
マイク２４は、携帯端末２０の周囲の音声を入力するセンサである。マイク２４は、一例として、携帯端末２０の主面（表示部２８が設けられた面）の表示部２８下方に設けられ、ユーザが携帯端末２０を使用する際に、ユーザの口元に位置するようになっている。
【００２８】
スピーカ２５は、音声を出力するためのものであり、例えば、携帯端末２０の主面の表示部２８上方に設けられ、ユーザが携帯端末２０の電話機能を使用する際に、ユーザの耳元に位置するようになっている。
【００２９】
カレンダ部２６は、年、月、日、時刻といった時間情報を取得して、制御部２９に出力する。なお、カレンダ部２６は、計時機能を有しているものとする。
【００３０】
記憶部２７は、例えば、不揮発性または揮発性の半導体メモリやハードディスクドライブであり、クラブ用機器１０から受信したゴルフクラブ１の情報（所有者や番手情報）や、クラブ用機器１０との通信が途切れた場所等を記憶する。これに加えて、ユーザがボールを打ったときの位置、時間、ゴルフクラブ１の番手情報を記憶するようにしてもよい。
【００３１】
表示部２８は、例えば、液晶表示素子を用いたデバイスであり、制御部２９の制御に基づき各種表示を行う。
【００３２】
制御部２９は、ＣＰＵ、ＲＡＭ、ＲＯＭ等を備え、携帯端末２０全体を制御する。本実施形態においては、制御部２９は、記憶部２７に各種の記録を行うための制御や、ユーザがゴルフクラブ１をコースに置き忘れた場合に、置き忘れをユーザに報知するための制御などを行う。制御部２９が実行する処理の詳細については後述する。
【００３３】
（靴用機器３０）
靴用機器３０は、靴（ゴルフシューズ）３に設けられる。靴用機器３０は、マイク３１、通信ユニット３３、記憶部３５、および制御部３７を有する。なお、これらの各要素は左足の靴と右足の靴とのいずれか一方に設けてもよく、両方に設けてもよい。
【００３４】
マイク３１は、靴先に設けられ、靴３の周囲の音を集音し、制御部３７に出力する。マイク３１は指向性が良いマイクが好ましく、例えばプリアンプ内蔵のマイクを採用することができる。このマイク３１の出力はアンプで増幅され制御部３７の制御の下、記憶部３５に音響データとして録音される（例えば、特開平１０−２６７７４４号公報参照）。なお、右利きの場合は、左足の近くにボールがあるので左足の靴にマイク３１を設け、左利きの場合は、右足の近くにボールがあるので右足の靴にマイク３１を設けるようにしてもよい。
【００３５】
通信ユニット３３は、携帯端末２０と通信を行うものであり、例えばＢｌｕｅｔｏｏｔｈ（登録商標）、Ｆｅｌｉｃａ（登録商標）、ＲＦＩＤなどの近接通信や、人体を介した人体通信などを行う。本実施形態においては、通信ユニット３３は、靴３に設けられた電極３３１を用いて人体通信を行う人体通信部３３２を有する。人体通信部３３２は、制御部３７の制御の下、マイク３１により集音され、記憶部３５に記憶された音響データを、携帯端末２０に送信する。なお、人体通信用の電極３３１は、ユーザの足に触れる位置（靴３の内部）に設けられる。なお、ユーザが素足である場合（すなわち、電極３３１が足と接触している場合）はもちろん、靴下を履いている場合（すなわち、電極３３１が足と対向している場合）でも、人体通信は可能である。
【００３６】
（バッグ用機器４０）
バッグ用機器４０は、キャディバッグ４に設けられる。キャディバッグ４は、複数のゴルフクラブ１を収容するものである。バッグ用機器４０は、図１に示すように、位置検出部４１と、無線通信部４３と、制御部４５と、を有している。
【００３７】
位置検出部４１は、例えば、ＧＰＳセンサであり、キャディバッグ４の位置（例えば、緯度及び経度）を検出する。
【００３８】
無線通信部４３は、携帯端末２０と無線通信を行うためのものである。無線通信部４３は、位置検出部４１が検出したキャディバッグ４の位置を、携帯端末２０に送信する。これにより、携帯端末２０の制御部２９は、キャディバッグ４とユーザとの位置関係を把握することができる。
【００３９】
制御部４５は、ＣＰＵ、ＲＡＭ、ＲＯＭ等を備え、バッグ用機器４０全体を制御する。
【００４０】
以上の構成を備える電子機器システム５００の動作について、図４および図５のフローチャートを用いて説明を行う。本実施形態においては、ユーザがスタートホールに到着すると、すなわち、ゴルフ競技を開始すると、図４の処理が開始される。なお、ユーザがスタートホールに到着したか否かは、位置検出部２３から得られるユーザの位置情報と、ゴルフ場のレイアウト情報とから判断できる。ゴルフ場のレイアウト情報は、予め記憶部２７に記憶されていてもよいし、無線通信部２２を介してサーバ等から取得してもよい。
【００４１】
図４の処理では、まず、制御部２９は、ステップＳ５１において、ユーザが複数のゴルフクラブ１を持っているか否かを判断する。具体的には、制御部２９は、携帯端末２０と複数のクラブ用機器１０との間で通信が成立しているか否かを判断する。ここで、ユーザＡが、ティーショット（１打目）を打つために、例えば、７番アイアンのみをキャディバッグ４から抜き取ったとする。この場合、１つのクラブ用機器１０のみと通信が成立するため、ステップＳ５１の判断が否定され、制御部２９は、複数のクラブ用機器１０との通信が成立するまでステップＳ５１の判断を繰り返す。その後、ユーザＡが、２打目を打つために、ゴルフクラブ１Ａ（サンドウェッジ（ＳＷ）と仮定する）とゴルフクラブ１Ｂ（ピッチングウェッジ（ＰＷ）と仮定する）とをキャディバッグ４から抜き取ると、クラブ用機器１０Ａ，１０Ｂとの通信が成立する、すなわち、複数のクラブ用機器１０との通信が成立するので、ステップＳ５１の判断が肯定され、制御部２９は、ステップＳ５３に移行する。
【００４２】
ステップＳ５３に移行すると、制御部２９は、ユーザが持っているゴルフクラブ１を識別するための情報を、クラブ用機器１０から取得し、記憶部２７に記憶する。本実施形態では、制御部２９は、ゴルフクラブ１の所有者および番手情報をクラブ用機器１０から取得し、記憶部２７に記憶するものとする。ここで、ユーザＡは、ゴルフクラブ１Ａ（ＳＷ）とゴルフクラブ１Ｂ（ＰＷ）とを保持しているため、制御部２９は、図６（Ａ）に示すクラブ情報テーブルに、２本のゴルフクラブ１Ａ，１Ｂの情報を登録する。クラブ情報テーブルは、所有者、番手、および通信切断位置の項目を備えており、所有者の項目には、ゴルフクラブ１の所有者が格納され、番手の項目にはゴルフクラブ１の番手情報が格納される。また、通信切断位置の項目には、ゴルフクラブ１に設けられたクラブ用機器１０との通信が途切れた位置が格納される（詳細は後述する）。なお、制御部２９は、ゴルフクラブ１の所有者、番手情報に加えて、ゴルフクラブ１のメーカ、品名、型番の情報等を記憶部２７に記憶してもよい。
【００４３】
次いで、ステップＳ５５において、制御部２９は、複数のゴルフクラブ１の中からユーザが１本のゴルフクラブ１を選択するまで待機する。ここで、例えば、ユーザＡが２打目を打つために、ゴルフクラブ１Ａとゴルフクラブ１Ｂとの中からゴルフクラブ１Ａを選択し、残りのゴルフクラブ１ＢをユーザＡの傍でショットの邪魔にならない位置に置くと、ステップＳ５５の判断が肯定され、制御部２９は、ステップＳ５７に移行する。
【００４４】
ステップＳ５７に移行すると、制御部２９は、複数のゴルフクラブ１のうち、ステップＳ５５で選択されなかったゴルフクラブ（ゴルフクラブ１Ｂ：ＰＷ）に設けられたクラブ用機器１０との通信が途切れた位置（緯度、経度等）を記憶部２７に記憶する（図６（Ｂ）参照）。その後、制御部２９は、ステップＳ５９に移行する。なお、このとき、クラブ用機器１０との通信が途切れた時刻を記憶してもよい。
【００４５】
続くステップＳ５９とステップＳ６１の処理は、携帯端末２０と、ユーザがステップＳ５１において保持した複数のゴルフクラブ１に設けられたクラブ用機器１０との通信が成立すべきタイミングを検知したか否かを判断するための処理である。まず、ステップＳ５９において、制御部２９は、ユーザがボールを打ったか否か、すなわち、ステップＳ５５で選択したゴルフクラブ１をユーザが使用したか否かを判断する。具体的には、制御部２９は、靴用機器３０のマイク３１が集音した音声の周波数等に基づき、集音した音声が打球音か否かを判断することにより、ユーザがボールを打ったか否かを判断する。ここでの判断が否定された場合、制御部２９は、ユーザがボールを打つまで、ステップＳ５９の判断を繰り返す。ここで、ユーザＡが、ステップＳ５５で選択したゴルフクラブ１Ａを用いてボールを打つと、ステップＳ５９の判断が肯定され、ステップＳ６１に移行する。
【００４６】
ステップＳ６１に移行すると、制御部２９は、ステップＳ５５で選択されなかったゴルフクラブ１に設けられたクラブ用機器１０との通信が途切れた位置からユーザが所定距離（例えば、５ｍ）離れたか否かを判断する。本実施形態では、制御部２９は、位置検出部２３からの出力と、ステップＳ５７で記憶した情報に基づき、クラブ用機器１０との通信が途切れた位置からユーザが所定距離離れたか否かを判断する。ここでの判断が否定された場合、すなわち、ユーザが移動していない場合、制御部２９は、ステップＳ６３の報知処理を行わず（禁止する）、通信が途切れた位置からユーザが所定距離移動するまで、ステップＳ６１の判断を繰り返す。ユーザが何らかの理由（たとえば、ボールを打ち損じた、他のプレーヤのショットを待っている等）でボールを打った場所にとどまっており、ゴルフクラブ１を置き忘れているのではなく、意図的に回収していない可能性があるためである。そして、ボールを打ち終わったユーザが、通信が途切れた位置から所定距離移動した段階で、ステップＳ６１の判断が肯定され、制御部２９は、ステップＳ６３の報知処理（図５）を開始する。
【００４７】
（報知処理）
図５は、ステップＳ６３の具体的処理を示すフローチャートである。ステップＳ６３の処理（報知処理）では、制御部２９は、まず、ステップＳ６３１において、ユーザが現在保持しているゴルフクラブ１の情報（所有者、番手情報）を取得する。制御部２９は、例えば、図６（Ｃ）に示す判定用クラブ情報テーブルに、取得したゴルフクラブ１の情報（所有者、番手情報）を記憶する。
【００４８】
次いで、制御部２９は、ステップＳ６３３において、ユーザが現在保持しているゴルフクラブ１の本数（ステップＳ６３１で取得）が、ユーザが持っていたゴルフクラブ１の本数（図４のステップＳ５３で取得）と一致するか否かを判断する。言い換えれば、ステップＳ６３３では、ショットの前後でユーザが保持しているゴルフクラブ１の本数が一致するか否かを判断している。具体的には、制御部２９は、クラブ情報テーブル（図６（Ａ）参照）のレコード数と、判定用クラブ情報テーブル（図６（Ｃ）参照）のレコード数とが一致するか否かを判断する。ここでの判断が肯定された場合、制御部２９は、ステップＳ６３５に移行する。
【００４９】
ステップＳ６３５に移行すると、制御部２９は、図４のステップＳ５３で記憶したゴルフクラブ１の情報（クラブ情報テーブル内の情報）と、ステップＳ６３１で記憶したゴルフクラブ１の情報（判定用クラブ情報テーブル内の情報）とが一致するか否かを判断する。ここでの判断が否定された場合、制御部２９は、ステップＳ６３７に移行する。
【００５０】
ここで、ゴルフクラブ１の本数が、ショットの前後で一致しているにも関わらず、ゴルフクラブ１の情報が一致しないということは、ユーザが、自己のゴルフクラブを置き忘れ、かつ、他人のゴルフクラブを保持しているということである。例えば、ユーザＡが、ショット後に２本のゴルフクラブ１を保持しているとする。ここで、図６（Ｄ）において、判定用クラブ情報テーブルに格納された２本のゴルフクラブ１の情報のうち、ピッチングウェッジ（ＰＷ）の所有者が“ユーザＢ”となっており、クラブ情報テーブルの情報と一致しない。この場合、制御部２９は、ステップＳ６３７において、他のプレーヤのゴルフクラブ１をユーザが保持している旨をユーザに報知する。具体的には、制御部２９は、「他のプレーヤのゴルフクラブを保持していませんか」との音声をスピーカ２５から出力したり、表示部２８に同様のメッセージを表示したりするなどして報知を行う。これにより、ユーザは、他プレーヤのゴルフクラブ１を誤って保持していることに気付くことができる。また、ゴルフでは、他のプレーヤのゴルフクラブを使用するとペナルティが科されるため、他のプレーヤのゴルフクラブを誤って使用し、ペナルティが科される事態を回避することができる。
【００５１】
続くステップＳ６３９において、制御部２９は、ユーザが誤って持っているゴルフクラブ１の情報を、その所有者であるプレーヤ（他のプレーヤ：本実施形態では、ユーザＢ）の携帯端末２０に送信する。これにより、ユーザＢは、自己のゴルフクラブ１が、ユーザＡによって保持されていることを知ることができる。
【００５２】
次いで、ステップＳ６４１において、制御部２９は、他のプレーヤが、ユーザが置き忘れたゴルフクラブ１を保持しているか否か、すなわち、置き忘れたゴルフクラブ１を他のプレーヤが回収しているか否かを判断する。例えば、ユーザＡの携帯端末２０Ａの制御部２９は、無線通信部２２を介して、ユーザＡと一緒にプレー中のユーザＢの携帯端末２０Ｂと通信を行い、携帯端末２０Ｂに、ユーザＡのゴルフクラブ１ＢをユーザＢが持っているか否かを問い合わせる。携帯端末２０Ｂは、ユーザＡのゴルフクラブ１Ｂに設けられたクラブ用機器１０Ｂとの通信が成立しているか否かを判断することによって、ユーザＡのゴルフクラブ１ＢをユーザＢが持っているか否かを判断し、携帯端末２０Ａに判断結果を送信する。携帯端末２０Ａは、当該判断結果を携帯端末２０Ｂから受信することにより、ステップＳ６４１の判断を行う。ここでの判断が肯定された場合には、ユーザは、ゴルフコース上にゴルフクラブ１を置き忘れていないため、ステップＳ６３１に戻る。なお、このとき、他のプレーヤにより、ゴルフクラブ１が回収されている旨をユーザに報知してもよい。一方、ここでの判断が否定された場合、すなわち、置き忘れたゴルフクラブ１が他のプレーヤによっても回収されていない場合、制御部２９は、ステップＳ６４３に移行する。
【００５３】
ステップＳ６４３に移行すると、制御部２９は、ユーザへの報知を行う。具体的には、制御部２９は、スピーカ２５から「置き忘れているゴルフクラブはありませんか」との音声を出力したり、表示部２８に同様のメッセージを表示したりするなどして、ユーザに注意を喚起する。なお、スピーカ２５を用いる代わりに、不図示の振動子により携帯端末２０を振動させてユーザに注意を喚起してもよい。これにより、ユーザは、ゴルフクラブ１を置き忘れたことに気付くことができる。また、制御部２９は、クラブ用機器１０との切断が途切れた位置を表示部２８に表示してもよい。これにより、ユーザは、コース上のどの位置にゴルフクラブ１を置き忘れたのかを知ることができ、置き忘れたゴルフクラブ１を回収までの時間を短縮することができる。ステップＳ６４３の処理後は、ステップＳ６３１に戻る。
【００５４】
ところで、ステップＳ６３３の判断が否定された場合、すなわち、ショット前後のゴルフクラブ１の本数が一致しなかった場合、制御部２９は、ステップＳ６４５に移行する。
【００５５】
ステップＳ６４５に移行すると、制御部２９は、ショット後のゴルフクラブ１の本数（ステップＳ６３１で取得したゴルフクラブ１の本数）が、ショット前のゴルフクラブ１の本数（図４のステップＳ５３で取得したゴルフクラブ１の本数）よりも多いか否かを判断する。ここでの判断が肯定されるということは、ユーザが、自己のゴルフクラブに加えて他プレーヤ（例えば、ユーザＢ）のゴルフクラブも保持しているということである。たとえば、図６（Ｅ）において、判定用クラブ情報テーブルには、ユーザＡがショット前に保持していたゴルフクラブ１Ａ，１Ｂ（ＳＷ，ＰＷ）に加えて、ユーザＢのゴルフクラブ１が登録されており、判定用クラブ情報テーブルのレコード数が、クラブ情報テーブルのレコード数よりも多くなっている。この場合、制御部２９は、ステップＳ６４７に移行し、他プレーヤのゴルフクラブをユーザが保持している旨をユーザに報知する。なお、ショット後のゴルフクラブ１の本数が、ショット前のゴルフクラブ１の本数よりも多くても、ユーザが自己のゴルフクラブ１を正しく保持している場合には、すなわち、判定クラブ情報テーブルが、クラブ情報テーブルのレコードを全て含んでいる場合には（図６（Ｅ）参照）、ユーザへの報知を行わずに、ステップＳ６４９に移行してもよい。
【００５６】
そして、続くステップＳ６４９において、制御部２９は、ユーザが誤って持っているゴルフクラブ１の情報を、その所有者であるプレーヤ（他のプレーヤ：本実施形態では、ユーザＢ）の携帯端末２０に送信し、ステップＳ６３１に戻る。
【００５７】
一方、ステップＳ６４５の判断が否定された場合、すなわち、ショット後のゴルフクラブ１の本数が、ショット前のゴルフクラブ１の本数よりも少ない場合（図６（Ｆ）参照）、ユーザがゴルフクラブ１を置き忘れていると判断できるので、制御部２９は、ステップＳ６５１に移行する。
【００５８】
ステップＳ６５１に移行すると、制御部２９は、前述したステップＳ６４１と同様、他のプレーヤが、ユーザが置き忘れたゴルフクラブ１を保持しているか否か、すなわち、置き忘れたゴルフクラブ１を他のプレーヤが回収しているか否かを判断する。
【００５９】
ステップＳ６５１の判断が否定されると、制御部２９は、ステップＳ６５３に移行し、前述したステップＳ６４３と同様、ユーザへの報知を行う。ステップＳ６５３の処理が終了した場合には、制御部２９は、ステップＳ６３１に戻る。
【００６０】
一方、ステップＳ６５１の判断が肯定された場合には、制御部２９は、ステップＳ６５３を経ずに、ステップＳ６３１に戻る。なお、このとき、他のプレーヤが、ユーザのゴルフクラブ１を保持している旨をユーザに報知してもよい。
【００６１】
なお、ユーザの移動時間や、他プレーヤとのやり取りの時間を考慮して、ステップＳ６４３，Ｓ６４９，Ｓ６５１，Ｓ６５３の終了後、所定時間（例えば、数十秒）が経過してから、ステップＳ６３１に戻るようにしてもよい。
【００６２】
このようにして、ユーザが保持するゴルフクラブ１の情報（ステップＳ６３１で取得した情報）が、ショット前のゴルフクラブ１の情報（図４のステップＳ５３で取得した情報）と一致するまで、上述の処理が繰り返される。そして、ユーザが、他プレーヤから自己のゴルフクラブ１を受け取ったり、誤って保持していたゴルフクラブ１を他プレーヤに返したりすることにより、ユーザが保持するゴルフクラブ１の情報が、ショット前のゴルフクラブ１の情報（図４のステップＳ５３で取得した情報）と一致した段階で、ステップＳ６３５の判断が肯定され、図５の処理が終了し、図４のステップＳ６５に移行する。
【００６３】
図４に戻り、制御部２９は、ステップＳ６５に移行すると、ユーザが複数のゴルフクラブ１をキャディバッグ４に収納したか否かを判断する。具体的には、制御部２９は、複数のゴルフクラブ１にそれぞれ設けられたクラブ用機器１０との通信が終了したか否かを判断する。なお、このとき、制御部２９は、バッグ用機器４０の位置検出部４１から取得したキャディバッグ４の位置と、位置検出部２３から取得したユーザの位置とがほぼ一致していることを確認することが好ましい。
【００６４】
ステップＳ６５の判断が否定されるということは、ユーザがキャディバッグ４に向けて移動中であるか、あるいは、次のショットのためにコースを移動しているということである。この場合、制御部２９は、ステップＳ６７に移行し、ユーザがキャディバッグ４に向けて移動中であるか否かを判断する。本実施形態では、制御部２９は、バッグ用機器４０の位置検出部４１から取得したキャディバッグ４の位置に、位置検出部２３から取得したユーザの位置が近づいているか否かを判断する。なお、制御部２９は、携帯端末２０とバッグ用機器４０との間の無線通信の強度により、ユーザがキャディバッグ４に向けて移動中であるか否かを判断してもよい。この場合、バッグ用機器４０の位置検出部４１を省略してもよい。
【００６５】
ステップＳ６７の判断が否定された場合、すなわち、ユーザがキャディバッグ４に向けて移動していない場合、ユーザが次のショットのために、ホールを移動中であるとして、ステップＳ５５に戻る。
【００６６】
一方、ステップＳ６７の判断が肯定された場合、すなわち、ユーザがキャディバッグ４に向けて移動している場合、ステップＳ６５に戻る。
【００６７】
ところで、ステップＳ６５の判断が肯定された場合、すなわち、ユーザが複数のゴルフクラブ１をキャディバッグ４に収納することにより、複数のクラブ用機器１０との通信が終了した場合、制御部２９は、ステップＳ５１に戻る。
【００６８】
このようにして、図４の処理は、ユーザが競技を終了する、すなわち、最終ホールを終えて、クラブハウスに戻るまで繰り返される。
【００６９】
以上、詳細に説明したように、本実施形態によれば、携帯端末２０Ａは、ユーザＡを介した人体通信によってゴルフクラブ１Ａに設けられたクラブ用機器１０Ａ及びゴルフクラブ１Ｂに設けられたクラブ用機器１０Ｂと通信を行う通信ユニット２１と、通信ユニット２１とクラブ用機器１０Ａ及びクラブ用機器１０Ｂとの通信が成立すべきタイミングを検知する制御部２９と、制御部２９が当該タイミングを検知した場合に、通信ユニット２１とクラブ用機器１０Ａ及びクラブ用機器１０Ｂとの通信状態に基づいて、ゴルフクラブ１Ａ，１Ｂを置き忘れていないかをユーザＡに報知するスピーカ２５や表示部２８と、を備えているので、ユーザＡが、複数のゴルフクラブ１Ａ，１Ｂを保持すべき適切なタイミングでユーザＡに対する報知を行うことができるので、ユーザＡがゴルフクラブ１Ａ，１Ｂのいずれかをゴルフコース内に置き忘れてしまうのを防止することができる。
【００７０】
また、本実施形態において、制御部２９は、クラブ用機器１０との通信が途切れた位置からユーザが所定距離離れたか否かに基づいて、通信部２１とクラブ用機器１０Ａ及びクラブ用機器１０Ｂとの通信が成立すべきタイミングを検知する。これにより、ゴルフクラブ１の置き忘れが発生しやすいタイミングで、ゴルフクラブ１の置き忘れを判定し、ユーザへの報知を行うことができる。また、何らかの理由（たとえば、ボールを打ち損じた、他のプレーヤのショットを待っている等）でユーザがクラブ用機器１０との通信が途切れた位置から離れていない場合には、報知処理を行わないため、報知のための音や振動によって、ユーザや他のプレーヤのプレーを妨げることを防止することができる。
【００７１】
また、本実施形態において、制御部２９は、ユーザＡが、クラブ用機器１０Ａが設けられたゴルフクラブ１Ａと、クラブ用機器１０Ｂが設けられたゴルフクラブ１Ｂとのうちいずれか一方を使用した場合に、使用しなかったゴルフクラブ１Ａ又は１Ｂに設けられたクラブ用機器１０Ａ又は１０Ｂとの通信が成立すべきタイミングを検知する。これにより、ユーザＡがボールを打つためにゴルフクラブ１Ａ又は１Ｂを手から離したような場合には、制御部２９は、ユーザＡがゴルフクラブ１Ａ，１Ｂを置き忘れていないか否かの判断を行わないので、報知のための音や振動によって、ユーザＡのプレーを妨げることを防止することができる。また、ゴルフクラブの置き忘れは、ショットの後に発生しやすいため、ゴルフクラブ１の置き忘れが発生しやすいタイミングで、ユーザへの報知を行うことができる。
【００７２】
また、本実施形態において、制御部２９は、ゴルフクラブ１Ａ及びゴルフクラブ１Ｂの少なくとも一方がユーザＡとは異なるユーザＢに保持されているか否かの判断結果に応じて、ユーザへの報知を行う。これにより、ユーザは、置き忘れたゴルフクラブ１が他のプレーヤによって回収されているか否かを知ることができる。
【００７３】
（変形例）
なお、上記実施形態では、制御部２９は、クラブ用機器１０からゴルフクラブ１の情報を取得し、当該情報に基づきユーザへの報知を行っていたが、ユーザへの報知の方法はこれに限られるものではない。例えば、制御部２９は、人体通信部２１２との通信が成立しているクラブ用機器１０の数（すなわち、ユーザが保持するゴルフクラブ１の本数）に基づいて、ゴルフクラブ１の置き忘れを判定し、ユーザへの報知を行ってもよい。図７、図８は、本変形例における、制御部２９の処理を示すフローチャートである。
【００７４】
図７の処理では、まず、ステップＳ１１において、携帯端末２０の制御部２９は、前述したステップＳ５１の処理と同様に、ユーザが複数のゴルフクラブ１を持っているか否かを判断する。
【００７５】
ステップＳ１１の判断が肯定され、ステップＳ１５に移行すると、制御部２９は、通信が成立したクラブ用機器１０の数、すなわち、ユーザがキャディバッグ４から抜き取ったゴルフクラブ１の本数を、記憶部２７に記憶する。ここで、ユーザＡが、ゴルフクラブ１Ａとゴルフクラブ１Ｂとを抜き取ったとすると、クラブ用機器１０Ａ，１０Ｂとの通信が成立するため、制御部２９は、記憶部２７に“２本”と記憶する。
【００７６】
次いで、制御部２９は、複数のゴルフクラブ１の中からユーザが１本のゴルフクラブ１を選択するまでステップＳ１７の判断を繰り返す。具体的には、制御部２９は、通信が成立しているクラブ用機器１０の数が１つになるまで、ステップＳ１７の判断を繰り返す。ここで、例えば、ユーザＡが２打目を打つために、ゴルフクラブ１Ａとゴルフクラブ１Ｂとのうちゴルフクラブ１Ａを選択し、残りのゴルフクラブ１ＢをユーザＡの傍でショットの邪魔にならない位置に置くと、ステップＳ１７の判断が肯定され、制御部２９は、ステップＳ１９に移行する。
【００７７】
続くステップＳ１９とステップＳ２１は、携帯端末２０と複数のクラブ用機器１０との通信が成立すべきタイミングを検知するための処理である。まず、ステップＳ１９において、制御部２９は、ユーザがボールを打ったか否か、すなわち、ステップＳ１７で選択したゴルフクラブ１を使用したか否かを判断する。ここでの判断が否定された場合、制御部２９は、ユーザがボールを打つまで、ステップＳ１９の判断を繰り返す。ここで、ユーザＡが、選択したゴルフクラブ１Ａを用いてボールを打つと、ステップＳ１９の判断が肯定され、ステップＳ２１に移行する。
【００７８】
ステップＳ２１に移行すると、制御部２９は、ユーザＡが移動したか否かを判断する。本実施形態では、制御部２９は、位置検出部２３からの出力に基づき、ユーザＡが所定距離（例えば、５ｍ）以上移動したか否かを判断する。なお、ユーザの移動は、携帯端末２０に、加速度センサとジャイロセンサとの少なくとも一方を設けて検出するようにしてもよい。ここでの判断が否定された場合、すなわち、ユーザが移動していない場合、制御部２９は、以降の報知処理を行わない（禁止する）。ここで、例えば、ユーザＡがショットを終えて、ゴルフクラブ１Ａを持ち、ゴルフクラブ１Ｂを持たずに、すなわち、ゴルフクラブ１Ｂを置き忘れて５ｍ以上移動すると、ステップＳ２１の判断が肯定され、ステップＳ２３に移行する。
【００７９】
次いで、ステップＳ２３において、制御部２９は、図８のフローチャートに示す報知処理を開始する。
【００８０】
（報知処理）
図８に示す報知処理では、まず、制御部２９は、ステップＳ２３１において、前述した図７のステップＳ１５で記憶したゴルフクラブ１の本数と、ショットを終えたユーザが持っているゴルフクラブ１の本数とが一致するか否かを判断する。具体的には、制御部２９は、人体通信が成立しているクラブ用機器１０の数が、ステップＳ１５で記憶したゴルフクラブ１の本数と一致するか否かを判断する。ここで、ユーザＡは、ゴルフクラブ１Ａのみを持っているため、人体通信が成立しているクラブ用機器１０の数は１つである。この場合、ステップＳ１５で記憶したゴルフクラブ１の数“２本”と異なるため、ステップＳ２３１の判断が否定され、制御部２９は、ステップＳ２３３に移行する。
【００８１】
ステップＳ２３３に移行すると、制御部２９は、ユーザＡが現在保持しているゴルフクラブの本数が、図７のステップＳ１５で記憶したゴルフクラブ１の本数よりも多いか否かを判断する。ここでの判断が肯定された場合、ユーザ（ユーザＡ）が、他のプレーヤ（例えば、ユーザＢ）のゴルフクラブ１を保持している可能性が高いため、制御部２９は、ステップＳ２３５に移行し、ユーザへの報知を行う。具体的には、制御部２９は、「ゴルフクラブの本数を確認してください」や「他のプレーヤのゴルフクラブを持っていませんか」との音声をスピーカ２５から出力したり、表示部２８に同様のメッセージを表示したりするなどして、ユーザへの報知を行う。これにより、ユーザは、他のプレーヤのゴルフクラブを保持していることに気付くことができる。
【００８２】
ステップＳ２３５でユーザへの報知を行うと、制御部２９は、ステップＳ２３１に戻る。そして、制御部２９は、ユーザＡが、他のプレーヤにゴルフクラブを手渡すまで、すなわち、ユーザＡが持っているゴルフクラブ１の本数が、ステップＳ１５で記憶部２７に記憶したゴルフクラブ１の本数（２本）と一致するまで、ステップＳ２３１、ステップＳ２３３、およびステップＳ２３５の処理・判断を繰り返す。そして、ユーザＡが、ユーザＢにゴルフクラブ１を手渡し、ユーザＡが保持するゴルフクラブがゴルフクラブ１Ａとゴルフクラブ１Ｂとになると、ステップＳ２３１の判断が肯定され、制御部２９は、図８の処理を終え、図７のステップＳ２９に移行する。なお、ステップＳ２３５の処理の終了後、ユーザの移動時間等を考慮して、所定時間（例えば、数十秒）が経過してから、ステップＳ２３１に戻るようにしてもよい。
【００８３】
一方、ユーザＡが現在保持しているゴルフクラブの本数が、図７のステップＳ１５で記憶したゴルフクラブ１の本数よりも少ない場合には、ステップＳ２３３の判断が否定されるので、制御部２９は、ステップＳ２３７に移行する。
【００８４】
ステップＳ２３７に移行すると、制御部２９は、他のプレーヤが、ユーザが置き忘れたゴルフクラブ１を持っているか否かを判断する。具体的には、制御部２９は、無線通信部２２を介して、例えば、ユーザＡと一緒にプレー中のユーザＢの携帯端末２０Ｂと通信を行い、携帯端末２０Ｂに、ユーザＢがユーザＡのゴルフクラブ１を持っているか否かを問い合わせる。携帯端末２０Ｂは、ユーザＡのゴルフクラブ１に設けられたクラブ用機器１０との人体通信が成立しているか否かを判断することによって、ユーザＢがユーザＡのゴルフクラブ１を持っているか否かを判断し、携帯端末２０Ａに判断結果を送信する。なお、クラブ用機器１０の記憶部１１に記憶されている所有者の情報により、ユーザＢが持っているゴルフクラブ１が、ユーザＡのものであるか否かの判断が可能である。
【００８５】
ステップＳ２３７の判断が否定された場合、すなわち、ユーザが置き忘れたゴルフクラブ１を他のプレーヤが持っていない場合、制御部２９は、ステップＳ２３９に移行する。ここでは、ユーザＡが置き忘れたゴルフクラブ１Ｂを、ユーザＢは回収していないものとして、説明を続ける。
【００８６】
ステップＳ２３９に移行すると、制御部２９は、ユーザへの報知を行う。具体的には、制御部２９は、スピーカ２５から「置き忘れているゴルフクラブはありませんか」との音声を出力したり、表示部２８に同様のメッセージを表示したりするなどして、ユーザに注意を喚起する。
【００８７】
制御部２９は、ステップＳ２３９の処理後、ステップＳ２３１に戻る。ここで、ユーザＡが、ステップＳ２３９での報知の結果、ゴルフクラブ１Ｂを取りに戻り、ゴルフクラブ１Ａとゴルフクラブ１ＢとをユーザＡが保持すると、図７のステップＳ１５で記憶部２７に記憶したゴルフクラブ１の本数（２本）と、現在ユーザＡが持っているゴルフクラブ１の本数（２本）とが一致するので、ステップＳ２３１の判断が肯定され、制御部２９は、図８の処理を終え、図７のステップＳ２９に移行する。
【００８８】
ところで、ステップＳ２３７の判断が肯定された場合、すなわち、他のプレーヤが、ユーザが置き忘れたゴルフクラブ１を持っている場合には、制御部２９は、ゴルフクラブ１の置き忘れがないとして、ステップＳ２３１に移行する。なお、このとき、他のプレーヤが、ユーザのゴルフクラブ１を保持している旨をユーザに報知してもよい。
【００８９】
そして、制御部２９は、ユーザが、他のプレーヤからゴルフクラブ１を受け取り、ステップＳ１５で記憶した本数のゴルフクラブ１をユーザが手にするまで、ステップＳ２３１〜ステップＳ２３９の処理・判断を繰り返す。たとえば、ユーザＡが置き忘れたゴルフクラブ１ＢをユーザＢが回収していた場合には、ユーザＡが、ユーザＢからゴルフクラブ１Ｂを受け取り、ゴルフクラブ１Ａとゴルフクラブ１ＢとをユーザＡが手にすると、ステップＳ２３１の判断が肯定され、制御部２９は、図８の処理を終了し、図７のステップＳ２９に移行する。
【００９０】
ステップＳ２９に移行すると、制御部２９は、前述したステップＳ６５の処理と同様、ユーザが複数のゴルフクラブ１をキャディバッグ４に収納したか否かを判断する。
【００９１】
ステップＳ２９の判断が否定されると、制御部２９は、ステップＳ３１に移行し、前述したステップＳ６７と同様、ユーザがキャディバッグ４に向けて移動中であるか否かを判断する。ステップＳ３１の判断が否定された場合、ステップＳ１７に戻るが、肯定された場合には、ステップＳ２９に戻る。なお、制御部２９は、ステップＳ２９の判断を、ユーザの移動時間を考慮して、報知処理の終了後、所定時間（例えば、数十秒）が経過した後に行うようにしてもよい。
【００９２】
一方、ステップＳ２９の判断が肯定された場合には、制御部２９は、ステップＳ１１に戻る。このようにして、ユーザが全ホールをプレイし終わるまで、図７の処理が繰り返される。
【００９３】
以上、説明したように、本変形例によっても、上記実施形態と同様に、ゴルフクラブ１の置き忘れをユーザに報知することが可能である。
【００９４】
また、本変形例において、制御部２９は、ユーザが移動をしていない場合には、ゴルフクラブ１を置き忘れていないか否かの判定、および、ユーザへの報知を行わないので、ユーザがボールを打ち損じたりして移動しなかった場合に、報知のための音や振動によって、ユーザのプレーを妨げることを防止することができる。
【００９５】
また、上記実施形態および変形例において、ユーザの位置情報と、ユーザの移動情報とは共通の位置検出部２３により検出するため、携帯端末２０の構成を簡易にすることができる。
【００９６】
なお、上述した実施形態および変形例では、ユーザが複数のゴルフクラブ１を保持したままカートで移動する場合、図４のステップＳ５５、図７のステップＳ１７の判断が繰り返されることとなる。この場合、制御部２９は、図４および図７の処理を中断するようにしてもよい。具体的には、例えば、ゴルフクラブ１Ａ，１Ｂに設けられたクラブ用機器１０Ａ，１０Ｂとの人体通信が成立している状態で、ユーザＡとキャディバッグ４とが一緒に移動している場合、制御部２９は、図４および図７の処理を中断する。そして、ユーザがキャディバッグ４から所定距離離れた時点で、再び、ステップＳ５１またはＳ１１から処理を開始するようにすればよい。ユーザＡとキャディバッグ４とが一緒に移動しているか否かは、バッグ用機器４０の位置検出部４１の出力と、携帯端末２０Ａの位置検出部２３の出力とから判断可能である。
【００９７】
なお、上記実施形態において、制御部２９は、靴用機器３０が備えるマイク３１が集音した音響データを用いて、ユーザがゴルフボールを打ったか否かを判断していたが、携帯端末２０が備えるマイク２４により集音された音響データを用いて、当該判断を行ってもよい。この場合、電子機器システム５００において、靴用機器３０を省略することができる。また、例えば、ゴルフクラブ１のヘッド部分にマイクを設け、当該マイクにより集音された音響データを用いて、ユーザがボールを打ったか否かを判断してもよい。また、ゴルフクラブ１のヘッド部分に圧力センサを設け、当該圧力センサの出力に基づいて（たとえば、圧力センサの出力が閾値を超えたか否かに基づいて）、ユーザがボールを打ったか否かを判断してもよい。
【００９８】
また、上記実施形態において、記憶部２７にゴルフコースのレイアウト情報を記憶させて、位置検出部２３の出力と対比することにより何番ホールのどこにユーザがいるかを報知してもよい。また、ゴルフクラブ１に設けられたクラブ用機器１０との通信が途切れた位置を、記憶部２７が記憶している場合には（図６（Ｂ）参照）、ユーザの現在位置と、置き忘れたゴルフクラブ１との位置関係を報知してもよい。
【００９９】
また、上記実施形態において、制御部２９は、バッグ用機器４０の位置検出部４１の出力をバッグ用機器４０から受信し、記憶部２７に記憶されているゴルフコースのレイアウト情報に基づき、キャディバッグ４がホールのどの位置にあるのかを、ユーザに報知してもよい。
【０１００】
また、上記実施形態では、電話機能のある片手サイズの大きさである携帯端末（スマートフォン）を例にとり説明したが、タブレット型コンピュータなどの携帯端末にも、上記実施形態を適用することができる。
【０１０１】
上記実施形態では、ゴルフを例にとり説明したが、ゴルフ以外のスポーツにも本発明を適用することができる。
【０１０２】
上述した実施形態は本発明の好適な実施の例である。但し、これに限定されるものではなく、本発明の要旨を逸脱しない範囲内において種々変形実施可能である。
【符号の説明】
【０１０３】
１０Ａ，１０Ｂ  クラブ用機器
２０Ａ，２０Ｂ  携帯端末
２１  通信ユニット
２３  位置検出部
２５  スピーカ
２８  表示部
２９  制御部
【図１】
2018106727.tif 000003
【図２】
2018106727.tif 000004
【図３】
2018106727.tif 000005
【図４】
2018106727.tif 000006
【図５】
2018106727.tif 000007
【図６】
2018106727.tif 000008
【図７】
2018106727.tif 000009
【図８】
2018106727.tif 000010